(57)【要約】【課題】  廃棄処分が容易な組立式棚を提供する。【解決手段】  組立式棚としての棚Ａは、枠状部１０と、板状部１００とを有し、枠状部１０は、連結部材２０、２２と、筒状部材４０Ａ、４０Ｂ、４０Ｃとを有し、筒状部材４０Ａ、４０Ｂ、４０Ｃは、段ボール材により形成されている。この筒状部材４０Ａ、４０Ｂ、４０Ｃは、断面正方形状の外側筒状部と、断面二等辺三角形状の２つの内側筒状部とから構成されている。また、板状部１００も段ボール材により形成されている。【選択図】        図１
0003103673.tif 000002
【実用新案登録請求の範囲】
【請求項１】
組立式棚であって、
筒状を呈する複数の紙製の筒状部材と、該筒状部材を連結するための複数の連結部材と、を有する枠状部と、
該枠状部に設けられた板状の棚板部で、紙製の棚板部と、
を有することを特徴とする組立式棚。
【請求項２】
上記枠状部において、筒状部材と連結部材とは着脱可能であり、上記枠状部を構成する複数の筒状部材において、一部の筒状部材が水平方向に配設されているとともに、他の筒状部材が垂直方向に配設されていることを特徴とする請求項１に記載の組立式棚。
【請求項３】
上記筒状部材が、外側筒状部と、該外側筒状部の内部に収納された２つの内側筒状部とを有し、該外側筒状部は、断面四角形状を呈し、また、該内側筒状部は、断面略三角形状を呈することを特徴とする請求項１又は２に記載の組立式棚。
【請求項４】
上記連結部材が、筒状部材を挿通して接続するための接続部を上方向と下方向と横方向とに有し、上方向と下方向と横方向とに筒状部材を接続可能であることを特徴とする請求項１又は２又は３に記載の組立式棚。
【請求項５】
組立式棚であって、
筒状を呈する複数の紙製の筒状部材と、該筒状部材を連結するための複数の連結部材と、を有する枠状部で、該筒状部材と連結部材とは着脱自在となっており、該枠状部を構成する複数の筒状部材において、一部の筒状部材が水平方向に配設されているとともに、他の筒状部材が垂直方向に配設されており、該連結部材が、筒状部材を挿通して接続するための接続部を上方向と下方向と横方向とに有し、上方向と下方向と互いに直角となる横方向とに筒状部材を接続可能であり、また、該筒状部材が、外側筒状部と、該外側筒状部の内部に収納された２つの内側筒状部とを有し、該外側筒状部は、断面四角形状を呈し、また、該内側筒状部は、断面略三角形状を呈する枠状部と、
該枠状部に設けられた板状の棚板部で、紙製の棚板部と、
を有することを特徴とする組立式棚。
【請求項６】
上記連結部材における横方向に設けられた接続部が、互いに直角となる２つの方向に設けられていることを特徴とする請求項１又は２又は３又は４又は５に記載の組立式棚。
【請求項７】
上記枠状部を構成する一部の連結部材において、横方向に設けられた接続部が、第１の方向と、該第１の方向と直角な方向である第２の方向と、該第２の方向と直角な方向である第３の方向に設けられていることを特徴とする請求項１又は２又は３又は４又は５又は６に記載の組立式棚。
【請求項８】
上記枠状部を構成する一部の連結部材において、横方向に設けられた接続部が、第１の方向と、該第１の方向と直角な方向である第２の方向と、該第２の方向と直角な方向である第３の方向と、第３の方向と直角な方向である第４の方向に設けられていることを特徴とする請求項１又は２又は３又は４又は５又は６又は７に記載の組立式棚。
【請求項９】
上記棚板部は、水平方向に配設された複数の筒状部材と、該複数の筒状部材を連結する連結部材とから構成される枠体上に設けられていることを特徴とする請求項１又は２又は３又は４又は５又は６又は７又は８に記載の組立式棚。
【請求項１０】
上記連結部材における各接続部は、上記筒状部材を挿入するための筒状部と、該筒状部内に設けられた一対の柱状部で、筒状部材を接続した際に上記内側筒状部に挿入される柱状部と、を有することを特徴とする請求項１又は２又は３又は４又は５又は６又は７又は８又は９に記載の組立式棚。
【請求項１１】
上記筒状部材と棚板部とが、段ボール製であることを特徴とする請求項１又は２又は３又は４又は５又は６又は７又は８又は９又は１０に記載の組立式棚。
【考案の詳細な説明】
【技術分野】
【０００１】
本考案は、棚やラックに関するものであり、特に、組立て式の棚に関するものである。
【背景技術】
【０００２】
従来より、棚としては、木製のものや、金属製のもの等が存在する。
【考案の開示】
【考案が解決しようとする課題】
【０００３】
しかし、木製の棚や金属製の棚においては、その廃棄処分が面倒であるという問題があった。
【０００４】
そこで、本考案は、廃棄処分が容易な棚を提供することを目的とするものである。
【課題を解決するための手段】
【０００５】
本考案は上記問題点を解決するために創作されたものであって、第１には、組立式棚であって、筒状を呈する複数の紙製の筒状部材と、該筒状部材を連結するための複数の連結部材と、を有する枠状部と、該枠状部に設けられた板状の棚板部で、紙製の棚板部と、を有することを特徴とする。
【０００６】
この第１の構成においては、組立式棚が枠状部と棚板部とを有しており、この棚板部に物品を載置して使用する。この組立式棚においては、枠状部を構成する筒状部材と棚板部とが紙製であることから、廃棄処分が容易となる。
【０００７】
また、第２には、上記第１の構成において、上記枠状部において、筒状部材と連結部材とは着脱可能であり、上記枠状部を構成する複数の筒状部材において、一部の筒状部材が水平方向に配設されているとともに、他の筒状部材が垂直方向に配設されていることを特徴とする。このように、筒状部材を垂直方向と水平方向に配設することにより枠状に構成することができる。また、筒状部材と連結部材とが着脱可能であるので、筒状部材が劣化した場合には、筒状部材のみを交換することにより連結部材を引き続き使用することが可能となる。
【０００８】
また、第３には、上記第１又は第２の構成において、上記筒状部材が、外側筒状部と、該外側筒状部の内部に収納された２つの内側筒状部とを有し、該外側筒状部は、断面四角形状を呈し、また、該内側筒状部は、断面略三角形状を呈することを特徴とする。このように、筒状部材が外側筒状部と内側筒状部とを有し、内側筒状部は２つの筒状部から構成されているので、筒状部材の強度を高く保つことが可能となる。
【０００９】
また、第４には、上記第１から第３までのいずれかの構成において、上記連結部材が、筒状部材を挿通して接続するための接続部を上方向と下方向と横方向とに有し、上方向と下方向と横方向とに筒状部材を接続可能であることを特徴とする。
【００１０】
また、第５には、組立式棚であって、筒状を呈する複数の紙製の筒状部材と、該筒状部材を連結するための複数の連結部材と、を有する枠状部で、該筒状部材と連結部材とは着脱自在となっており、該枠状部を構成する複数の筒状部材において、一部の筒状部材が水平方向に配設されているとともに、他の筒状部材が垂直方向に配設されており、該連結部材が、筒状部材を挿通して接続するための接続部を上方向と下方向と横方向とに有し、上方向と下方向と互いに直角となる横方向とに筒状部材を接続可能であり、また、該筒状部材が、外側筒状部と、該外側筒状部の内部に収納された２つの内側筒状部とを有し、該外側筒状部は、断面四角形状を呈し、また、該内側筒状部は、断面略三角形状を呈する枠状部と、該枠状部に設けられた板状の棚板部で、紙製の棚板部と、を有することを特徴とする。
【００１１】
この第５の構成の組立式棚においては、組立式棚が枠状部と棚板部とを有しており、この棚板部に物品を載置して使用する。この組立式棚においては、枠状部を構成する筒状部材と棚板部とが紙製であることから、廃棄処分が容易となる。また、筒状部材と連結部材とが着脱可能であるので、筒状部材が劣化した場合には、筒状部材のみを交換することにより連結部材を引き続き使用することが可能となる。また、筒状部材が外側筒状部と内側筒状部とを有し、内側筒状部は２つの筒状部から構成されているので、筒状部材の強度を高く保つことが可能となる。
【００１２】
また、第６には、上記第１から第５までのいずれかの構成において、上記連結部材における横方向に設けられた接続部が、互いに直角となる２つの方向に設けられていることを特徴とする。
【００１３】
また、第７には、上記第１から第６までのいずれかの構成において、上記枠状部を構成する一部の連結部材において、横方向に設けられた接続部が、第１の方向と、該第１の方向と直角な方向である第２の方向と、該第２の方向と直角な方向である第３の方向に設けられていることを特徴とする。このように連結部材が横方向に３方向に筒状部材を接続できるようにすることにより、枠状部を横方向に伸びた形状とすることが可能となる。
【００１４】
また、第８には、上記第１から第７までのいずれかの構成において、上記枠状部を構成する一部の連結部材において、横方向に設けられた接続部が、第１の方向と、該第１の方向と直角な方向である第２の方向と、該第２の方向と直角な方向である第３の方向と、第３の方向と直角な方向である第４の方向に設けられていることを特徴とする。このように連結部材が横方向に４方向に筒状部材を接続できるようにすることにより、枠状部を左右方向及び奥行方向に伸びた状態とした場合に、内側に位置する連結部材に使用することができる。
【００１５】
また、第９には、上記第１から第８までのいずれかの構成において、上記棚板部は、水平方向に配設された複数の筒状部材と、該複数の筒状部材を連結する連結部材とから構成される枠体上に設けられていることを特徴とする。
【００１６】
また、第１０には、上記第１から第９までのいずれかの構成において、上記連結部材における各接続部は、上記筒状部材を挿入するための筒状部と、該筒状部内に設けられた一対の柱状部で、筒状部材を接続した際に上記内側筒状部に挿入される柱状部と、を有することを特徴とする。このように、連結部材において、接続部に筒状部と柱状部が設けられていることにより、連結される筒状部材の接続状態を強く保つことができ、特に、筒状部材が連結部材に対してぐらつくことがない。
【００１７】
また、第１１には、上記第１から第１０までのいずれかの構成において、上記筒状部材と棚板部とが、段ボール製であることを特徴とする。
【考案の効果】
【００１８】
本考案に基づく組立式棚によれば、枠状部を構成する筒状部材と棚板部とが紙製であることから、廃棄処分が容易となる。
【００１９】
また、特に、枠状部において、筒状部材と連結部材とは着脱可能であり、上記枠状部を構成する複数の筒状部材において、一部の筒状部材が水平方向に配設されているとともに、他の筒状部材が垂直方向に配設されている場合には、筒状部材を垂直方向と水平方向に配設することにより枠状に構成することができ、また、筒状部材と連結部材とが着脱可能であるので、筒状部材が劣化した場合には、筒状部材のみを交換することにより連結部材を引き続き使用することが可能となる。
【００２０】
また、特に、上記筒状部材が、外側筒状部と、該外側筒状部の内部に収納された２つの内側筒状部とを有し、該外側筒状部は、断面四角形状を呈し、また、該内側筒状部は、断面略三角形状を呈する場合には、筒状部材が外側筒状部と内側筒状部とを有し、内側筒状部は２つの筒状部から構成されているので、筒状部材の強度を高く保つことが可能となる。
【考案を実施するための最良の形態】
【００２１】
本考案においては、廃棄処分が容易な棚を提供するという目的を以下のようにして実現した。
【００２２】
本考案に基づく組立式棚としての棚Ａは、図１〜図４に示されるように構成され、枠状部１０と、板状部１００とを有している。
【００２３】
ここで、枠状部１０は、複数の筒状部材を連結部材により接続して枠状に形成したものである。すなわち、枠状部１０は、連結部材２０と、連結部材２２と、筒状部材４０Ａと、筒状部材４０Ｂと、筒状部材４０Ｃとを有している。
【００２４】
ここで、連結部材２０は、上下方向と横方向に筒状部材を接続可能に形成されており、縦方向接続部２４と、横方向接続部３０と、横方向接続部３４とを有している。
【００２５】
この縦方向接続部２４は、筒状部２６と、仕切板部２７と、柱状部２８と、柱状部２９とを有している。すなわち、筒状部２６は、断面正方形状の筒状を呈しており、内部空間の横断面形状は正方形状を呈している。また、筒状部２６の両側の開口端は上下方向に向いて形成されている。また、該仕切板部２７は、該筒状部２６の内側面に設けられ、筒状部２６の上下方向の中央位置に水平方向に設けられている。また、柱状部２８は、筒状部２６の空間内に設けられ、具体的には、該仕切板部２７の上面から上方向に向けて設けられている。この柱状部２８は、円柱状を呈し、仕切板部２７の上面に計２つ設けられている。つまり、筒状部２６の一方の対角線方向に並ぶように互いに所定の間隔を介して２つの柱状部２８が併設されている。これは、筒状部材４０Ａを構成する断面三角形状の２つの筒状部５０に各柱状部２８が挿通するように構成されている。また、同じように、柱状部２９は、筒状部２６の空間内に設けられ、具体的には、該仕切板部２７の下面から下方向に向けて設けられている。この柱状部２９は、円柱状を呈し、仕切板部２７の下面に計２つ設けられている。つまり、筒状部２６の横方向の対角線方向に所定の間隔を介して２つの柱状部２９が併設されている。これは、筒状部材４０Ａを構成する断面三角形状の２つの筒状部５０に各柱状部２９が挿通するように構成されている。
【００２６】
また、横方向接続部３０は、該縦方向接続部２４の側面に設けられていて、筒状部３１と、柱状部３２とを有している。すなわち、筒状部３１は、縦方向接続部２４の筒状部２６の側面における上下方向の中間位置に設けられていて、断面正方形状の筒状を呈していて、内部空間の縦断面形状は正方形状を呈している。また、筒状部３１の開口端は、横方向（具体的には、Ｙ方向）を向いている。また、この筒状部３１の外径及び内径は、筒状部２６と同一に形成されていて、これにより、筒状部３１の内部空間の幅と筒状部２６の内部空間の幅とは同一に形成されている。また、柱状部３２は、筒状部３１の空間内に設けられ、具体的には、筒状部２６の外側面から横方向（具体的には、Ｙ方向）に向けて設けられている。この柱状部３２は、円柱状を呈し、筒状部２６の外側面に計２つ設けられている。つまり、筒状部３１の対角線方向に並ぶように所定の間隔を介して２つの柱状部３２が併設されている。これは、筒状部材４０Ｂ、４０Ｃを構成する断面三角形状の２つの筒状部５０に各柱状部３２が挿通するように構成されている。
【００２７】
また、横方向接続部３４は、上記横方向接続部３０と同様の構成を呈し、筒状部２６における横方向接続部３０が設けられている側面と隣接する側面に設けられている。つまり、横方向接続部３４は、筒状部３５と、柱状部３６とを有していて、筒状部３５は、縦方向接続部２４の筒状部２６の側面における上下方向の中間位置に設けられていて、断面正方形状の筒状を呈していて、内部空間の縦断面形状は正方形状を呈している。また、筒状部３５の開口端は、横方向（具体的には、Ｘ方向）を向いている。また、この筒状部３５の外径及び内径は、筒状部２６及び筒状部３１と同一に形成されていて、これにより、筒状部３５の内部空間の幅は、筒状部２６や筒状部３１の内部空間の幅と同一に形成されている。また、柱状部３６は、筒状部３５の空間内に設けられ、具体的には、筒状部２６の外側面から横方向（具体的には、Ｘ方向）に向けて設けられている。この柱状部３６は、円柱状を呈し、筒状部２６の外側面に計２つ設けられている。つまり、筒状部３５の対角線方向に並ぶように所定の間隔を介して２つの柱状部３６が併設されている。これは、筒状部材４０Ｂ、４０Ｃを構成する断面三角形状の２つの筒状部５０に各柱状部３６が挿通するように構成されている。
【００２８】
以上のように、連結部材２０は、上方向と、下方向と、互いに直角な横方向に筒状部材を接続できるように構成されている。つまり、連結部材２０は、筒状部材を挿通して接続するための接続部を上方向と下方向と互いに直角となる横方向に有し、上方向と下方向と互いに直角となる横方向とに筒状部材を接続可能となっている。なお、図２等に示すように、Ｘ方向とＹ方向とＺ方向は互いに直角の方向となっている。
【００２９】
また、連結部材２２は、上記連結部材２０と略同様の構成であるが、連結部材２０の構成に加えてさらに蓋部材２３を有している点が異なる。つまり、蓋部材２３は、筒状部２６の開口端を塞ぐものであり、該開口端に嵌合するように形成されている。なお、連結部材２０や連結部材２２は、合成樹脂により形成されている。
【００３０】
次に、筒状部材４０Ａ、４０Ｂ、４０Ｃについて説明する。筒状部材４０Ａと筒状部材４０Ｂと筒状部材４０Ｃとは、長さが異なるのみで同様の構成であるので、筒状部材４０Ａを例にとって説明する。
【００３１】
筒状部材４０Ａは、図４等に示すように、筒状部（外側筒状部）４２と、筒状部（内側筒状部）５０とを有している。ここで、筒状部４２は、断面正方形状の筒状を呈していて、板状部４２ａと板状部４２ｂと板状部４２ｃと板状部４２ｄと板状部４２ｅとを有している。板状部４２ａ〜板状部４２ｅは、長方形状の板状を呈するとともに同じ長さに形成され、板状部４２ａと板状部４２ｂと板状部４２ｃと板状部４２ｄは、同大同形状に形成されていて、板状部４２ａと板状部４２ｅとを貼り合わせることにより、全体に筒状に形成されている。この筒状部４２は、１枚の方形状の紙部材（具体的には、段ボール材）を所定の折れ線を介して折曲して２つの板状部（つまり、板状部４２ａと板状部４２ｅ）を貼り合わせることにより形成されたものである。
【００３２】
また、筒状部５０は、断面二等辺三角形の筒状を呈していて、板状部５０ａと板状部５０ｂと板状部５０ｃと板状部５０ｄとを有している。板状部５０ａ〜板状部５０ｄは長方形状の板状を呈するとともに同じ長さに形成され、板状部５０ａと板状部５０ｂとは同じ幅に形成され、板状部５０ｃの幅は、板状部５０ａ、５０ｂの幅よりも大きく形成されている。つまり、板状部５０ｃの幅は、筒状部５０の断面形状が二等辺三角形となるような幅となっている。また、板状部５０ａや板状部５０ｂの幅は、筒状部４２の内径の幅と略同一に形成されている。また、板状部５０ｄの幅は、板状部５０ａ、５０ｂの幅とほぼ同じに形成されているが、若干小さく形成されている。この筒状部５０は、１枚の方形状の紙部材（具体的には、段ボール材）を所定の折れ線を介して折曲することにより形成されたものである。なお、互いに重なり合う板状部５０ａと板状部５０ｄとは、貼り合わせていないが、貼り合わせてもよい。なお、筒状部５０を構成する各板状部間の折れ線箇所には、切込みが所定間隔ごとに形成されている。つまり、該折れ線箇所にミシン目を設けることにより、折曲が容易となるように構成されている。
【００３３】
また、上記筒状部４２には、２つの筒状部５０が挿通された状態で構成される。つまり、２つの筒状部５０を板状部５０ｃを合わせた状態とすることにより、２つの筒状部５０により四角柱状とし、これら２つの筒状部５０を筒状部４２に挿通した状態とすることにより、筒状部材４０Ａが構成される。
【００３４】
なお、筒状部材４０Ａを構成する各筒状部は、紙部材（具体的には、段ボール材）により構成されているが、上記のように構成することにより、筒状部材４０Ａの強度を強く保つことができる。
【００３５】
なお、筒状部材４０Ｂや筒状部材４０Ｃの構成は、その長さが異なる以外は筒状部材４０Ａと同様の構成であるので、その詳しい説明を省略する。
【００３６】
また、枠状部１０においては、図１に示すように、連結部材２０の横方向接続部には、筒状部材４０Ｂと筒状部材４０Ｃが接続され、４つの連結部材２０と２つの筒状部材４０Ｂと２つの筒状部材４０Ｃにより、横方向に四角形状の枠体が３つ構成されている。同様に、連結部材２２の横方向接続部には、筒状部材４０Ｂと筒状部材４０Ｃが接続され、４つの連結部材２２と２つの筒状部材４０Ｂと２つの筒状部材４０Ｃにより、横方向に四角形状の枠体が構成されている。この連結部材２２を有する枠体は、枠状部１０の上端に設けられる。さらに、各枠体は、縦方向に配設される筒状部材４０Ａにより高さ方向に所定の間隔を介して組み立てられる。つまり、下端位置の枠体においては、連結部材２０の上側に筒状部材４０Ａが接続されるとともに、上端位置の枠体においては、連結部材２２の下側に筒状部材４０Ａが接続され、さらに、他の枠体においては、連結部材２０の上側と下側に筒状部材４０Ａが接続されることにより、枠状部１０が構成される。
【００３７】
次に、板状部１００は、枠状部１０に取り付けられる部材であり、棚板部として機能するものである。すなわち、板状部１００は、略方形状の板状を呈し、具体的には、板状部１００の平面形状は、図５に示すように、方形状の４つの角部に方形状の切欠部１０２を設けた形状を呈している。また、板状部１００の大きさは、上記各枠体、つまり、４つの連結部材２０（又は連結部材２２）と２つ筒状部材４０Ｂと２つの筒状部材４０Ｃにより構成される枠体に載置される大きさに形成されていて、具体的には、板状部１００のＹ方向の最大幅は、１つの枠体において互いに対向する筒状部材４０Ｃ間の距離よりも大きく形成されているとともに、板状部１００のＸ方向の最大幅は、１つの枠体において互いに対向する筒状部材４０Ｂ間の距離よりも大きく形成されている。また、上記切欠部は、板状部１００を枠体上に載置した場合に、連結部材２０、２２の筒状部２６が邪魔にならないようにするために形成されている。
【００３８】
次に、棚Ａを組み立てる場合には、まず、枠状部１０を組み立てる。すなわち、連結部材２０や連結部材２２に筒状部材４０Ａ、４０Ｂ、４０Ｃを接続させて枠状部１０を構成する。その際、筒状部材４０Ａ、４０Ｂ、４０Ｃには、２つの筒状部５０による２つの挿通穴がもうけられているので、筒状部５０を柱状部２８、２９、３２、３６がこの挿通穴に臨むような向きにして連結部材２０、２２に接続させる。
【００３９】
以上のようにして枠状部１０を形成したら、上記枠体に板状部１００を載置することにより、棚Ａが形成される。
【００４０】
次に、棚Ａの使用状態としては、通常の棚と同様に使用する。つまり、棚板部としての板状部１００上に各種物品を載置して使用する。
【００４１】
また、棚Ａを廃棄する場合には、連結部材２０、２２以外の部材、すなわち、筒状部材４０Ａ、４０Ｂ、４０Ｃと、板状部１００が紙部材により形成されているので、容易に廃棄することが可能となる。また、枠状部１０においては、連結部材２０、２２と筒状部材４０Ａ、４０Ｂ、４０Ｃが着脱自在であるので、段ボール製である筒状部材４０Ａ、４０Ｂ、４０Ｃや板状部１００が劣化した場合には、該筒状部材４０Ａ、４０Ｂ、４０Ｃや板状部１００のみを交換することにより、連結部材２０、２２を引き続き使用することができて経済的である。
【００４２】
なお、上記の構成において、連結部材２０、２２においては、横方向接続部が互いに直角となる２方向に設けられているものとして説明したが、枠状部１０を構成する一部の連結部材において、横方向接続部が横方向の３方向に設けられているものとしてもよい。具体的には、図２、図３における連結部材において、筒状部２６における横方向接続部３４の反対側、すなわち、横方向接続部３１と直角な横方向にさらに横方向接続部を設けて、３つの方向に筒状部材を接続できるようにする。つまり、第１の方向と第２の方向と第３の方向に横方向接続部を設ける。このようにすることにより、３方向に筒状部材を接続でき、横方向に広がった状態の枠状部とすることができる。つまり、図１の棚Ａにおいては、全体的には４本の縦方向柱状部（つまり、筒状部４０Ａにおいて直線状に配設されている一群の筒状部４０Ａを縦方向柱状部とみなす）が形成されているが、これを６本、８本等として枠状部が横方向に伸びた形態とでき、横方向に大型化した棚とすることができる。
【００４３】
さらに、枠状部１０を構成する一部の連結部材において、横方向接続部を４方向に設けるようにしてもよい。つまり、図２、図３における連結部材において、横方向接続部３４と反対側に横方向接続部を設けるとともに、横方向接続部３１の反対側に横方向接続部を設けて、４方向に筒状部材を接続できるようにする。つまり、第１の方向と第２の方向と第３の方向と第４の方向に横方向接続部を設ける。連結部材をこのような構成とすることにより、枠状部を左右方向及び奥行方向に伸びた状態とした場合に、内側に位置する連結部材に使用することができる。例えば、縦方向柱状部を左右方向に３本、奥行方向に３本設けた状態の枠状部とした場合には、平面視で中央に位置する連結部材には、上記の４方向に横方向接続部が設けられたタイプのものを用いる。
【図面の簡単な説明】
【００４４】
【図１】本考案の実施例に基づく棚を示す斜視図である。
【図２】連結部材及び筒状部材の構成を示す説明図である。
【図３】連結部材の構成を示す説明図である。
【図４】筒状部材の構成を示す要部説明図である。
【図５】棚板部としての板状部の平面図である。
【符号の説明】
【００４５】
Ａ  棚
１０  枠状部
２０、２２  連結部材
２４  縦方向接続部
２６、３１、３５  筒状部
２８、３２、３６  柱状部
３０、３４  横方向接続部
４０Ａ、４０Ｂ、４０Ｃ  筒状部材
４２、５０  筒状部
１００  板状部
【図１】
0003103673.tif 000003
【図２】
0003103673.tif 000004
【図３】
0003103673.tif 000005
【図４】
0003103673.tif 000006
【図５】
0003103673.tif 000007